(57)【要約】【課題】舵抵抗の増加を招くことなく推力を増加させることができ、これによって船舶の推進効率を向上させることができる船舶舵フィン装置を提供する。【解決手段】プロペラ５の後方の流れ場に位置するように舵３に付設された翼形状の複数のフィン２１，２２，２３を備え、フィン２１，２２，２３に働く前方成分の力によって推力を得るようにした船舶舵フィン装置２０であって、フィン２１，２２，２３は、舵３の両側に張り出すように配設される右舷側フォアフィン２１、及び左舷側フォアフィン２２と、船尾２から船首に向かう方向に見て、前進時にプロペラ５が右回りに回転する場合に右舷側フォアフィン２１の後方に配設される右舷側アフトフィン２３とを備える船舶舵フィン装置２０。【選択図】図１
2020175741.tif 000002
【特許請求の範囲】
【請求項１】
プロペラの後方の流れ場に位置するように舵に付設された翼形状の複数のフィンを備え、前記フィンに働く前方成分の力によって推力を得るようにした船舶舵フィン装置であって、
前記フィンは、
前記舵の両側に張り出すように配設される右舷側フォアフィン、及び左舷側フォアフィンと、
船尾から船首に向かう方向に見て、前進時に前記プロペラが右回りに回転する場合に前記右舷側フォアフィンの後方に配設される右舷側アフトフィン、又は前進時に前記プロペラが左回りに回転する場合に前記左舷側フォアフィンの後方に配設される左舷側アフトフィンと、
を備える船舶舵フィン装置。
【請求項２】
前記右舷側フォアフィン、及び／又は前記左舷側フォアフィンは、前進翼形状である請求項１に記載の船舶舵フィン装置。
【請求項３】
前記右舷側アフトフィン、又は前記左舷側アフトフィンは、後退翼形状である請求項１又は２に記載の船舶舵フィン装置。
【請求項４】
船尾から船首に向かう方向に見て、前進時に前記プロペラが右回りに回転する場合、前記右舷側フォアフィンを前方に向かって上向きに傾斜配置するとともに、前記左舷側フォアフィンを前方に向かって下向きに傾斜配置し、且つ前記右舷側アフトフィンを所定の迎角で配置し、
船尾から船首に向かう方向に見て、前進時に前記プロペラが左回りに回転する場合、前記右舷側フォアフィンを前方に向かって下向きに傾斜配置するとともに、前記左舷側フォアフィンを前方に向かって上向きに傾斜配置し、且つ前記左舷側アフトフィンを所定の迎角で配置する請求項１〜３の何れか一項に記載の船舶舵フィン装置。
【請求項５】
前記舵は、本体部分を構成する舵本体と、前記プロペラの回転中心部と対向するように前記舵本体の前部に設けられる舵バルブとを備えてなり、
前記右舷側フォアフィン、及び前記左舷側フォアフィンは、前記舵バルブ付近に取り付けられている請求項１〜４の何れか一項に記載の船舶舵フィン装置。
【発明の詳細な説明】
【技術分野】
【０００１】
本発明は、プロペラ後流を利用して推進方向の力を発生させる船舶舵フィン装置に関する。
【背景技術】
【０００２】
船舶のプロペラ後方に配設される舵には、推進効率を向上させるために、翼形状のフィンが設けられることがある。フィンは、プロペラ後流（回転流）を受けて揚力と抗力とを発生し、この揚力と抗力との合力における前方成分（推進方向成分）が、船舶の推進効率を向上させる。プロペラ回転流のエネルギー回収効率を向上させるために、フィンの形状や取付位置等に種々の工夫が行われている（例えば、特許文献１〜４を参照）。
【先行技術文献】
【特許文献】
【０００３】
【特許文献１】特開２０１０−９５１８１号公報
【特許文献２】特開２００６−１２３８４９号公報
【特許文献３】特許第６２０３３４９号公報
【特許文献４】特開平１１−１３９３９５号公報
【発明の概要】
【発明が解決しようとする課題】
【０００４】
上記の特許文献で示されているようなフィンを舵に装着する場合、フィンの取付位置等の取付条件によっては推進効率がむしろ低下することがある。このため、個々の船体における航行時のプロペラ後流の状態に応じて、フィンの取付条件を調整する必要がある。
【０００５】
しかし、フィンの取付条件は、最も適切な条件を探すのが困難である。例えば、船尾から船首に向かう方向に見て前進時にプロペラが右回りに回転する場合、舵の左舷側における舵側面近傍では、プロペラの回転流に、航行時に船体から生じる渦流（ビルジ渦）が加わることにより、後方に向かって斜め上向きの流れと斜め下向きの流れとが混在する遅い流れ場が形成される。このような流れ場にフィンがあると、抗力の影響が支配的となって舵抵抗が増加し、全体として推進効率が低下する虞がある。なお、船尾から船首に向かう方向に見て前進時にプロペラが左回りに回転する場合は、後方に向かって斜め上向きの流れと斜め下向きの流れとが混在する遅い流れ場が、右回りにプロペラが回転する場合とは逆に、舵の右舷側における舵側面近傍に形成され、このような流れ場にフィンがあると、上記と同様に、全体として推進効率が低下する虞がある。
【０００６】
本発明は、上記の課題に鑑みてなされたものであり、舵抵抗の増加を招くことなく推力を増加させることができ、これによって船舶の推進効率を向上させることができる船舶舵フィン装置を提供することを目的とする。
【課題を解決するための手段】
【０００７】
上記課題を解決するための本発明に係る船舶舵フィン装置の特徴構成は、
プロペラの後方の流れ場に位置するように舵に付設された翼形状の複数のフィンを備え、前記フィンに働く前方成分の力によって推力を得るようにした船舶舵フィン装置であって、
前記フィンは、
前記舵の両側に張り出すように配設される右舷側フォアフィン、及び左舷側フォアフィンと、
船尾から船首に向かう方向に見て、前進時に前記プロペラが右回りに回転する場合に前記右舷側フォアフィンの後方に配設される右舷側アフトフィン、又は前進時に前記プロペラが左回りに回転する場合に前記左舷側フォアフィンの後方に配設される左舷側アフトフィンと、
を備えることにある。
【０００８】
本構成の船舶舵フィン装置によれば、舵の両側に張り出すように右舷側フォアフィン、及び左舷側フォアフィンが配設されるので、プロペラ直後の強い回転流を右舷側フォアフィン、及び左舷側フォアフィンが受けて推力を発生させることができる。また、船尾から船首に向かう方向に見て、前進時にプロペラが右回りに回転する場合には、右舷側フォアフィンの後方に右舷側アフトフィンが配設され、前進時にプロペラが左回りに回転する場合には、左舷側フォアフィンの後方に左舷側アフトフィンが配設されるので、プロペラ直後の強い回転流よりは弱いが後方に向かって斜め下向きの安定したプロペラ後流を右舷側アフトフィン、又は左舷側アフトフィンが受けて推力を発生させることができる。また、後方に向かって斜め上向きの流れと斜め下向きの流れとが混在する遅い流れ場には、アフトフィンが配設されないので、舵抵抗の増加を未然に防ぐことができる。従って、舵抵抗の増加を招くことなく推力を増加させることができ、これによって船舶の推進効率を向上させることができる。
【０００９】
本発明に係る船舶舵フィン装置において、
前記右舷側フォアフィン、及び／又は前記左舷側フォアフィンは、前進翼形状であるであることが好ましい。
【００１０】
本構成の船舶舵フィン装置によれば、右舷側フォアフィン、及び／又は左舷側フォアフィンが前進翼形状であるので、右舷側フォアフィン、及び／又は左舷側フォアフィンがプロペラにより近い位置に配されることになり、プロペラ直後の強い回転流をより多く受けることができて、推力をより増加させることができる。
【００１１】
本発明に係る船舶舵フィン装置において、
前記右舷側アフトフィン、又は前記左舷側アフトフィンは、後退翼形状であることが好ましい。
【００１２】
本構成の船舶舵フィン装置によれば、右舷側アフトフィン、又は左舷側アフトフィンが後退翼形状であるので、プロペラ後流をより多く受けることができて、推力をより増加させることができる。
【００１３】
本発明に係る船舶舵フィン装置において、
船尾から船首に向かう方向に見て、前進時に前記プロペラが右回りに回転する場合、前記右舷側フォアフィンを前方に向かって上向きに傾斜配置するとともに、前記左舷側フォアフィンを前方に向かって下向きに傾斜配置し、且つ前記右舷側アフトフィンを所定の迎角で配置し、
船尾から船首に向かう方向に見て、前進時に前記プロペラが左回りに回転する場合、前記右舷側フォアフィンを前方に向かって下向きに傾斜配置するとともに、前記左舷側フォアフィンを前方に向かって上向きに傾斜配置し、且つ前記左舷側アフトフィンを所定の迎角で配置することが好ましい。
【００１４】
本構成の船舶舵フィン装置によれば、船尾から船首に向かう方向に見て、前進時にプロペラが右回りに回転する場合には、右舷側フォアフィンが前方に向かって上向きに傾斜配置されるとともに、左舷側フォアフィンが前方に向かって下向きに傾斜配置されるので、プロペラ直後における右舷側において後方に向かって斜め下向きに流れる強い回転流を、前方に向かって上向きに傾斜配置された右舷側フォアフィンが受けることになるとともに、プロペラ直後における左舷側において後方に向かって斜め上向きに流れる強い回転流を、前方に向かって下向きに傾斜配置された左舷側フォアフィンが受けることになり、右舷側フォアフィン、及び左舷側フォアフィンのそれぞれに働く前方成分の力を推力としてより効果的に作用させることができ、船舶の推進効率をより向上させることができる。また、本構成の船舶舵フィン装置によれば、右舷側アフトフィン、又は左舷側アフトフィンが所定の迎角で配置されるので、右舷側アフトフィン、又は左舷側アフトフィンのそれぞれに働く前方成分の力も推力としてより効果的に作用させることができ、船舶の推進効率を更に向上させることができる。
【００１５】
また、船尾から船首に向かう方向に見て、前進時にプロペラが左回りに回転する場合には、右舷側フォアフィンが前方に向かって下向きに傾斜配置されるとともに、左舷側フォアフィンが前方に向かって上向きに傾斜配置されるので、プロペラ直後における右舷側において後方に向かって斜め上向きに流れる強い回転流を、前方に向かって下向きに傾斜配置された右舷側フォアフィンが受けることになるとともに、プロペラ直後における左舷側において後方に向かって斜め下向きに流れる強い回転流を、前方に向かって上向きに傾斜配置された左舷側フォアフィンが受けることになり、右舷側フォアフィン、及び左舷側フォアフィンのそれぞれ働く前方成分の力を推力としてより効果的に作用させることができ、船舶の推進効率をより向上させることができる。
【００１６】
本発明に係る船舶舵フィン装置において、
前記舵は、本体部分を構成する舵本体と、前記プロペラの回転中心部と対向するように前記舵本体の前部に設けられる舵バルブとを備えてなり、
前記右舷側フォアフィン、及び前記左舷側フォアフィンは、前記舵バルブ付近に取り付けられていることが好ましい。
【００１７】
本構成の船舶舵フィン装置によれば、プロペラの回転中心部と対向するように舵本体の前部に設けられる舵バルブ付近に、右舷側フォアフィン、及び左舷側フォアフィンが取り付けられているので、舵バルブによる推進効率向上と、左右両舷側のフォアフィンによる推力の増加との相乗効果により、船舶の推進効率を更に向上させることができる。
【図面の簡単な説明】
【００１８】
【図１】図１は、本発明の一実施形態に係る船舶舵フィン装置が装備された船舶の船尾周辺を示す右側面図である。
【図２】図２は、本発明の一実施形態に係る船舶舵フィン装置が装備された船舶の船尾周辺を示す左側面図である。
【図３】図３は、図１のＸ−Ｘ線断面図である。
【図４】図４は、本発明の一実施形態に係る船舶舵フィン装置の前方から見た斜視図である。
【図５】図５は、本発明の一実施形態に係る船舶舵フィン装置の模型を用いたＣＦＤ計算結果に基づくプロペラ後方の流体流れの様子を表す図である。
【図６】図６は、本発明の一実施形態に係る船舶舵フィン装置の効果を確認するための比較対象の説明図である。
【発明を実施するための形態】
【００１９】
以下、本発明について、図面を参照しながら説明する。ただし、本発明は、以下に説明する実施形態や図面に記載される構成に限定されることは意図しない。
【００２０】
図１には、本発明の一実施形態に係る船舶舵フィン装置が装備された船舶の船尾周辺を示す右側面図が示され、図２には、同船舶の船尾周辺を示す左側面図が示されている。
【００２１】
＜船舶の全体構成＞
図１に示される船舶１は、例えば、一軸船の船尾構造を有する肥大船型船舶であって、船体中央部から船幅が狭くなる船尾２に配設される舵３と、舵３と対向する船尾部（船尾ボス部）４に支承されるプロペラ５とを備えている。なお、本実施形態では、船尾２から船首に向かう方向に見て、前進時に右回りに回転するプロペラ５が用いられる例を示すが、これに限定されるものではなく、船尾２から船首に向かう方向に見て、前進時に左回りに回転するプロペラが用いられる場合もあり得る。
【００２２】
＜舵の構造＞
舵３は、マリナー型の舵を例に説明すると、船尾２に垂設されるラダーホーン６に、舵３の本体部分を構成する舵本体（舵板）７が左右方向に揺動自在に枢着され、プロペラ５の回転中心部と対向するように舵バルブ８が舵本体７の前部に一体的に取り付けられてなるものである。
【００２３】
＜舵バルブ＞
舵バルブ８は、プロペラ５の回転中心軸と同軸を成すように舵本体７の前縁からプロペラ５のハブに向けて突設される半球状の前側バルブ部８ａと、前側バルブ部８ａから後方に連続するように半紡錘状に形成される後側バルブ部８ｂとを有している。このように、プロペラ５のハブの後方に舵バルブ８を設けることにより、プロペラ５の回転時にプロペラ５のハブの後方に発生するハブ渦を拡散することができ、エネルギー効率の低下を抑制することができる。
【００２４】
＜船舶舵フィン装置＞
次に、船舶１に装備される船舶舵フィン装置２０について、主に図３、及び図４を用い、適宜に図１、及び図２を参照しつつ説明する。船舶舵フィン装置２０は、プロペラ５の後方の流れ場に位置するように舵３に付設された翼形状の右舷側フォアフィン２１、左舷側フォアフィン２２、及び右舷側アフトフィン２３を備えてなり、これらフィン２１，２２，２３に働く前方成分の力によって推力を得ることができるように構成されている。
【００２５】
＜右舷側フォアフィン＞
右舷側フォアフィン２１は、舵本体７の右側に張り出すように舵バルブ８の右側部から舵本体７の前後方向中央部近傍に亘る部分に取り付けられている。右舷側フォアフィン２１は、当該右舷側フォアフィン２１の前縁全域がプロペラ５の回転軸線の高さにおいて、舵本体７の前縁よりも前側に位置するような前進角（フィン前縁から翼弦長の１／４の点を連ねる線が，舵前後方向中心軸に垂直な左右軸となす角）を持たせた下凸キャンバー（図１参照）を有する前進翼形状に形成されている。このように、右舷側フォアフィン２１を前進翼形状に形成することにより、右舷側フォアフィン２１がプロペラ５により近い位置に配されることになり、プロペラ直後の回転流をより多く受けることができるので、推力をより増加させることができる。
【００２６】
右舷側フォアフィン２１においては、当該右舷側フォアフィン２１の前縁全域を、プロペラ５の回転軸線の高さ位置とほぼ同じ高さ位置に配し、当該右舷側フォアフィン２１の後縁全域を、プロペラ５の回転軸線の高さ位置よりも低い高さ位置に配して、前方に向かって上向きに所定の傾斜角度で傾斜配置されている（図１参照）。この場合の水平方向に対する右舷側フォアフィン２１の傾斜角度としては、右舷側フォアフィン２１の前縁が上向きの場合をプラス角とすると、好ましくは＋４°〜＋２８°である。
【００２７】
＜左舷側フォアフィン＞
左舷側フォアフィン２２は、舵本体７の左側に張り出すように舵バルブ８の左側部から舵本体７の前後方向中央部近傍に亘る部分に取り付けられている。左舷側フォアフィン２２は、当該左舷側フォアフィン２２の前縁全域がプロペラ５の回転軸線の高さにおいて、舵本体７の前縁よりも前側に位置するような前進角を持たせた上凸キャンバー（図２参照）を有する前進翼形状に形成されている。このように、左舷側フォアフィン２２を前進翼形状に形成することにより、左舷側フォアフィン２２がプロペラ５により近い位置に配されることになり、プロペラ直後の回転流をより多く受けることができるので、推力をより増加させることができる。
【００２８】
左舷側フォアフィン２２においては、当該左舷側フォアフィン２２の前縁全域を、プロペラ５の回転軸線の高さ位置と同じ高さ位置に配し、当該左舷側フォアフィン２２の後縁全域を、プロペラ５の回転軸線の高さ位置よりも高い高さ位置に配して、前方に向かって下向きに所定の傾斜角度で傾斜配置されている（図２参照）。この場合の水平方向に対する左舷側フォアフィン２２の傾斜角度としては、左舷側フォアフィン２２の前縁が下向きの場合をマイナス角とすると、好ましくは−４°〜−３２°である。
【００２９】
＜右舷側アフトフィン＞
右舷側アフトフィン２３は、舵本体７の前後方向中央部において舵本体７の右側に張り出すように舵本体７の右舷側側面に取り付けられている。右舷側アフトフィン２３は、翼根から翼端に向かって前縁全域が後方に傾斜するような後退角（フィン前縁から翼弦長の１／４の点を連ねる線が，舵前後方向中心軸に垂直な左右軸となす角）を持たせた下凸キャンバー（図１参照）を有する後退翼形状に形成されている。このように、右舷側アフトフィン２３を後退翼形状に形成することにより、プロペラ後流をより多く受けることができて、推力をより増加させることができる。
【００３０】
右舷側アフトフィン２３においては、当該右舷側アフトフィン２３の前縁の高さ位置をプロペラ５の回転軸線の高さ位置とほぼ同じ高さ位置として、水平配置、又は傾斜配置され、右舷側アフトフィン２３の前縁が上向きの場合をプラス角とすると、−１０°〜＋２０°となるように定められている。
【００３１】
図１に示されるように、本実施形態においては、右舷側フォアフィン２１の後縁の全域が、プロペラ５の回転軸線の高さ位置よりも低い高さ位置に配される一方で、右舷側アフトフィン２３の前縁の全域が、プロペラ５の回転軸線の高さ位置とほぼ同じ高さ位置に配されている。すなわち、右舷側フォアフィン２１の後縁は、右舷側アフトフィン２３の前縁よりも全体的に低い高さ位置に配され、右舷側フォアフィン２１の後縁と右舷側アフトフィン２３の前縁との高さ位置が全域に亘って異なるようにされている。これにより、右舷側フォアフィン２１の後縁と右舷側アフトフィン２３の前縁との間を通ってプロペラ後流が右舷側アフトフィン２３の後方へとよりスムーズに流れることになり、右舷側アフトフィン２３において発生させる推力をより高めることができる。
【００３２】
＜作動説明＞
以上に述べたように構成される船舶舵フィン装置２０が配されるプロペラ後方の流れ場には、プロペラ５の回転流に、航行時に船体から生じる渦流（ビルジ渦）が加わる。その結果、プロペラ直後の右舷側においては、後方に向かって斜め下向きに強い回転流が流れる（図５中記号「Ａ」を付した白抜き矢印を参照）。一方、プロペラ直後の左舷側においては、後方に向かって斜め上向きに強い回転流が流れる（図５中記号「Ｂ」を付した白抜き矢印を参照）。また、舵本体７の右舷側前後方向中央部には、プロペラ直後の強い回転流よりも弱いが後方に向かって斜め下向きの安定したプロペラ後流が流れる（図５中記号「Ｃ」を付した白抜き矢印を参照）。一方、舵本体７の左舷側前後方向中央部では、後方に向かって斜め上向きの流れと斜め下向きの流れとが混在する（図５中記号「Ｄ」、及び「Ｅ」を付したそれぞれの白抜き矢印を参照）。
【００３３】
図１に示されるように、プロペラ直後の右舷側には、右舷側フォアフィン２１が前方に向かって上向きに傾斜配置されている。右舷側フォアフィン２１は、プロペラ直後の右舷側における後方に向かって斜め下向きに流れる強い回転流を受けて、当該右舷側フォアフィン２１の翼面に働く揚力と抗力との合力における前方成分（推進方向成分）の力を推力としてより効果的に作用させる。
【００３４】
また、図２に示されるように、プロペラ直後の左舷側には、左舷側フォアフィン２２が前方に向かって下向きに傾斜配置されている。左舷側フォアフィン２２は、プロペラ直後の左舷側における後方に向かって斜め上向きに流れる強い回転流を受けて、当該左舷側フォアフィン２２の翼面に働く揚力と抗力との合力における前方成分（推進方向成分）の力を推力としてより効果的に作用させる。
【００３５】
さらに、図１に示されるように、右舷側フォアフィン２１の後方には、右舷側アフトフィン２３が所定の迎角を成すように配置されている。右舷側アフトフィン２３は、プロペラ直後の強い回転流よりは弱いが後方に向かって斜め下向きの安定したプロペラ後流を受けて、当該右舷側アフトフィン２３の翼面に働く揚力と抗力との合力における前方成分（推進方向成分）の力を推力としてより効果的に作用させる。
【００３６】
一方、舵本体７の左舷側側面近傍の流れ場、すなわち後方に向かって斜め上向きの流れと斜め下向きの流れとが混在する遅い流れ場には、アフトフィンが配置されずに舵抵抗の増加を未然に防ぐようにされている。
【００３７】
こうして、右舷側フォアフィン２１、左舷側フォアフィン２２、及び右舷側アフトフィン２３が、各フィン２１，２２，２３の翼面に働く揚力と抗力との合力における前方成分の力を推力としてより効果的に作用させる一方で、後方に向かって斜め上向きの流れと斜め下向きの流れとが混在する遅い流れ場には舵抵抗の増加を招くようなアフトフィンを配設しないようにされている。従って、舵抵抗の増加を招くことなく推力をより増加させることができ、これによって船舶の推進効率をより向上させることができる。
【００３８】
＜ＣＦＤ計算結果＞
以上に述べた本実施形態の船舶舵フィン装置２０の計算モデルを作成し、船尾２から船首に向かう方向に見て前進時にプロペラ５が右回りに回転する場合におけるプロペラ後方の流体運動に関し、ＣＦＤ（Ｃｏｍｐｕｔａｔｉｏｎａｌ  Ｆｌｕｉｄ  Ｄｙｎａｍｉｃｓ）計算を行った。このＣＦＤ計算結果に基づく流体流れの様子が図５に示されている。
【００３９】
図５中記号「Ａ」を付した白抜き矢印で示されるように、プロペラ直後の舵バルブ８の右舷側においては、後方に向かって斜め下向きに強い回転流が流れる。このため、図１に示されるように、前方に向かって上向きに傾斜された右舷側フォアフィン２１を舵バルブ８の右側部に取り付けることにより、右舷側フォアフィン２１の翼面に働く揚力と抗力との合力における前方成分の力を推力としてより効果的に作用させることができることが分かる。
【００４０】
図５中記号「Ｂ」を付した白抜き矢印で示されるように、プロペラ直後の舵バルブ８の左舷側においては、後方に向かって斜め上向きに強い回転流が流れる。このため、図２に示されるように、前方に向かって下向きに傾斜された左舷側フォアフィン２２を舵バルブ８の左側部に取り付けることにより、左舷側フォアフィン２２の翼面に働く揚力と抗力との合力における前方成分の力を推力としてより効果的に作用させることができることが分かる。
【００４１】
図５中記号「Ｃ」を付した白抜き矢印で示されるように、舵本体７の右舷側側面近傍においては、プロペラ直後の強い回転流よりは弱いが後方に向かって斜め下向きの安定したプロペラ後流が流れる。このため、図１に示されるように、水平状態に配置された右舷側アフトフィン２３を舵本体７の右舷側側面に取り付けることにより、プロペラ後流に対し右舷側アフトフィン２３が所定の迎角を成すように配されて右舷側アフトフィン２３の翼面に働く揚力と抗力との合力における前方成分の力を推力としてより効果的に作用させることができることが分かる。
【００４２】
図５中記号「Ｄ」を付した白抜き矢印、及び記号「Ｅ」を付した白抜き矢印で示されるように、舵本体７の左舷側側面近傍においては、後方に向かって斜め上向きの流れと斜め下向きの流れとが混在する遅い流れ場が形成される。このような流れ場にフィンがあると、抗力の影響が支配的となって舵抵抗が増加し、全体として推進効率が低下するため、舵本体７の左舷側側面には、フィンを取り付けない方が良いことが分かる。
【実施例】
【００４３】
本実施形態に係る船舶舵フィン装置２０の推進効率の向上効果を確認するために、フィンを設けることによる推力の増加と、舵全体の抵抗（舵バルブ、フィンを含む）とに関するＣＦＤ計算を行った。その結果が表１に示されている。
【００４４】
【表１】
2020175741.tif 000003
【００４５】
表１において、実施例は、右舷側フォアフィン２１、左舷側フォアフィン２２、及び右舷側アフトフィン２３のみを備えた本実施形態の船舶舵フィン装置２０に係るシミュレーション結果に基づくものである。これに対し、比較例１は、図６（ａ）に示されるように、舵３にフィンが全く設けられていない場合のシミュレーション結果であり、舵全体の抵抗の基準（１００％）となるものである。比較例２は、図６（ｂ）に示されるように、舵３に右舷側アフトフィン２３のみを設けた場合、比較例３は、図６（ｃ）に示されるように、舵３に右舷側フォアフィン２１、及び左舷側フォアフィン２２のみを設けた場合、比較例４は、図６（ｄ）に示されるように、右舷側フォアフィン２１、左舷側フォアフィン２２、右舷側アフトフィン２３、及び左舷側アフトフィン２４を設けた場合のシミュレーション結果に基づくものである。なお、比較例４における左舷側アフトフィン２４は、舵本体７の前後方向中央部において舵本体７の左側に張り出すように舵本体７の左舷側側面に取り付けられ、翼根から翼端に向かって前縁の全域が後方に傾斜するような後退角を持たせた上凸キャンバーを有する後退翼形状に形成されている。
【００４６】
表１に示されるように、実施例の推力増加分（１０．２％）は、右舷側フォアフィン２１、及び左舷側フォアフィン２２のみの比較例３での推力増加分（５．７％）と、右舷側アフトフィン２３のみの比較例２での推力増加分（３．１％）との合計（８．８％）よりも大きい。これは、本実施形態で述べたように配設される右舷側フォアフィン２１、左舷側フォアフィン２２、及び右舷側アフトフィン２３の相乗効果によるものと考えられる。また、右舷側フォアフィン２１、左舷側フォアフィン２２、及び右舷側アフトフィン２３を設けることによる相乗効果により、実施例の舵全体の抵抗は、比較例１〜４と比べて最も小さくなる。従って、実施例のものは、比較例１〜４のものと比べて、舵全体の抵抗を低減しつつ、推力を増加させることができるので、船舶の推進効率を向上させることができると言える。
【００４７】
なお、比較例３のものでは、右舷側フォアフィン２１、及び左舷側フォアフィン２２により推力が増加した分だけ、舵全体の抵抗値の改善（９５．５％）が見られるが、実施例の舵全体の抵抗値（９３．１％）よりは大きく、また、実施例のものと比べて推力の増加分が少なく（実施例：１０．２％増、比較例３：５．７％増）ため、推進効率の向上効果が十分であるとは言えない。
【００４８】
また、比較例４のものでは、左舷側アフトフィン２４の追加により、実施例のものと比べて推力の増加分が多いが（実施例：１０．２％増、比較例４：１３．１％増）、それを打ち消して余りあるほどに、舵全体の抵抗が基準となる比較例１よりも増えるため（比較例１：１００％、比較例４：１０４．７％）、推進効率の向上効果が十分であるとは言えない。
【００４９】
以上、本発明の船舶舵フィン装置について、一実施形態、及び実施例に基づいて説明したが、本発明は上記実施形態、及び実施例に記載した構成に限定されるものではなく、その趣旨を逸脱しない範囲において適宜その構成を変更することができるものである。
【００５０】
上記実施形態、及び実施例では、船尾から船首に向かう方向に見て、前進時にプロペラが右回りに回転する場合について述べたが、船尾から船首に向かう方向に見て、前進時にプロペラが左回りに回転する場合は、プロペラ後流の流れ場の状態がプロペラ右回りの場合と左右で逆になり、船舶舵フィン装置におけるフィンの配置も左右で逆になり、また、各フィンのキャンバーの凸側が向く方向が左右で上下逆になる。
【産業上の利用可能性】
【００５１】
本発明の船舶舵フィン装置は、船舶の推進効率向上の用途において利用可能である。
【符号の説明】
【００５２】
１    船舶
３    舵
５    プロペラ
７    舵本体
８    舵バルブ
２０  船舶舵フィン装置
２１  右舷側フォアフィン
２２  左舷側フォアフィン
２３  右舷側アフトフィン
【図１】
2020175741.tif 000004
【図２】
2020175741.tif 000005
【図３】
2020175741.tif 000006
【図４】
2020175741.tif 000007
【図５】
2020175741.tif 000008
【図６】
2020175741.tif 000009